(57)【要約】      （修正有）【課題】ページに細分された重畳情報を含む画像情報の送信や読出しにおいて、不完全なページまたはページの一部の組合せが画像スクリーン上に表示されることを回避する。【解決手段】画像スクリーン（１）上への表示を目的とした画像情報は、映画画像（２）等の主情報だけではなく、グラフィック情報またはサブタイトル（４）等の重畳情報も含む。この重畳情報は、重畳情報の１ページを一群のパケットが表すディジタルシンボルのパケットに符号化されて、別個に送信される。開示の方法においては、全てのパケットが、そのパケットの、その群に対する関係に関する識別情報を受け取る。これは、重畳情報の１ページが完全に受信されたかどうかを確定可能にする。これは、ＴＶ信号の妨害等の画像信号受信が中断される場合や、ビデオディスクまたはテープが高速再生等のトリックモードで使用される場合に有利である。【選択図】図１ｃ
2006217568.tif 000002
【特許請求の範囲】
【請求項１】
情報信号が記録された情報担体であって、該情報信号は、画像スクリーン上への表示を目的とした画像情報を表し、該画像情報は、主情報と該主情報に関連付けられた重畳情報とを有し、該重畳情報は、ページに細分され、これらページの各々は、情報符号のパケットの群により表される情報担体において、
群の各パケットは、該パケットの、関連する群に対する関係を指示する識別情報を含むことを特徴とする情報担体。
【請求項２】
前記識別情報は、ページ番号を含むことを特徴とする請求項１記載の情報担体。
【請求項３】
前記識別情報は、所定の方法で１つの群内で適合化されたシリアル番号を含み、前記群の最初のまたは最後のパケットのシリアル番号は、所定の値を持つことを特徴とする請求項１または２記載の情報担体。
【請求項４】
前記識別情報は群の最初のまたは最後のパケットに対して異なる値を持つフラグを含むことを特徴とする請求項２または３記載の情報担体。
【請求項５】
前記主情報は、ビデオ情報を含み、前記重畳情報は、グラフィック情報を含むことを特徴とする請求項１から４いずれか１項記載の情報担体。
【請求項６】
前記重畳情報は、サブタイトルテキストを含むことを特徴とする請求項１から５いずれか１項記載の情報担体。
【請求項７】
前記主情報は、ディジタル圧縮されたビデオ情報を含むことを特徴とする請求項１から６いずれか１項記載の情報担体。
【発明の詳細な説明】
【技術分野】
【０００１】
本発明は、画像情報を表す情報信号により画像スクリーン上への表示を目的とした該画像情報を送信する方法であって、該画像情報は、主情報と該主情報に関連付けられる重畳情報とを有し、該重畳情報は、ページに細分され、これらページは、情報符号のパケットの群により表される画像情報送信方法に関する。
【０００２】
本発明はさらに、情報信号が記録される情報担体であって、該情報信号は、画像スクリーン上への表示を目的とした画像情報を表し、該画像情報は、主情報と該主情報に関連付けられる重畳情報とを有し、該重畳情報は、ページに細分され、これらページは、情報符号のパケットの群により表される情報担体に関する。
【０００３】
本発明はさらに、前記方法において使用される情報受信装置及び情報送信装置に関する。
【背景技術】
【０００４】
このような方法、情報担体及び装置は、国際特許公開第92/00647号から既知である。主情報がアナログビデオ情報であるような画像信号は、レーザディスクにより伝送される。この場合、ディジタル符号化されたサブタイトル情報が、ディジタルオーディオ信号サブコード内に重畳情報として前記ビデオ情報とは別個にレーザディスク上に記録される。１ページのサブタイトル情報は、最初のパケットがヘッダーを含み、最後のパケットがエンドコードを含むようなサブコードパケットの群にわたって分配される。
【発明の開示】
【発明が解決しようとする課題】
【０００５】
この既知の方法においては、送信中のエラーまたは妨害により、全てのパケットが完全に受信されないことが起こり得る。この直接的な結果、重畳ページの不完全なまたは誤って組合わされた部分が、画像スクリーン上に示される。これは、非常に厄介な問題である。これは、例えば、ＴＶ信号が妨害された場合若しくはビデオディスクやテープが高速再生または逆再生等のトリックモードで使用される場合等の情報信号の断片しか受信されない場合に特に起こり得る。
【０００６】
本発明の目的は、不具合な重畳ページの表示が大幅に回避される画像情報送信のための手段を提供することにある。
【課題を解決するための手段】
【０００７】
本願第１の発明によれば、冒頭に記載のタイプの方法は、群の各パケットは、該パケットのこの関連する群に対する関係を指示する識別情報を持つことを特徴とする。本発明による方法は、例えば、群の１つ以上の情報パケットが欠落している、または、受信されるパケットの全てが同一の群に属していないことを前記識別情報が示す場合、不具合なページの表示を阻止できる点で有利である。
【０００８】
本発明による方法の実施例は、前記識別情報が、ページ番号を含むことを特徴とする。この実施例は、群の始まりから受信された全ての情報パケットがこの関連する群に属しているかどうかを簡単に確定できる点で有利である。
【０００９】
本発明による他の実施例は、前記識別情報が、所定の方法で群内で適合化されたシリアル番号を含み、前記群の最初のまたは最後のパケットのシリアル番号が、所定の値を持つことを特徴とする。この実施例は、連続するシリアル番号を持たないパケットを受信するような場合に、１つ以上の情報パケットが欠落しているかどうかを確定できる点で有利である。所定の値のシリアル番号を持つパケットが受信される場合には、群が始まる、または、群が完全に送信されたことも分かる。
【００１０】
本発明による更なる実施例は、前記識別情報が、群の最初のまたは最後のパケットに対して異なる値を持つフラグを含むことを特徴とする。この実施例は、新しい群が始まる、または、新しい群が完全に送信されたかどうかを簡単に確定できる点で有利である。
【００１１】
本発明による更なる実施例は、前記主情報が、ビデオ情報を含み、前記重畳情報が、グラフィック情報を含むことを特徴とする。この実施例は、前記主情報が動画像であり、前記重畳情報が任意にこの画像上に重畳されるグラフィック画像である点で有利である。
【００１２】
本発明による更なる実施例は、前記重畳情報が、サブタイトルテキストを含むことを特徴とする。この実施例は、サブタイトルテキストを任意に前記主情報上に重畳できる点で有利である。
【００１３】
本発明による更なる実施例は、前記主情報が、ディジタル圧縮されたビデオ情報を含むことを特徴とする。この実施例は、前記主情報及び前記重畳情報の両方を、同様に、ディジタル符号により表されて送信できる点で有利である。
【００１４】
本願第２の発明によれば、冒頭に規定されるタイプの情報担体は、群の各パケットが、該パケットのこの関連する群に対する関係を指示する識別情報を含むことを特徴とする。本発明による情報担体は、例えば、情報担体の逆再生または高速再生等のトリックモードを使用する場合に、群の１つ以上の情報パケットが欠落している、または、受信されるパケットの全てが同一の群に属していないことが前記識別情報から分かる場合、不具合なページの表示を阻止できる点で有利である。
【００１５】
本願第３の発明によれば、冒頭に規定されるタイプの情報信号を受信する手段及び前記重畳情報と組合わされた前記主情報を表す画像信号を生成する組合せ手段を有する装置は、該装置が、前記識別情報に応じてページ不完全信号を生成するチェック手段を有し、前記組合せ手段が、前記ページ不完全信号に応じて重畳情報のページの表示を阻止するように構成されることを特徴とする。本発明による装置は、例えば、画像スクリーン上に表示される不具合な重畳ページがより少ない点で有利である。
【００１６】
本願第４の発明によれば、冒頭に規定されるタイプの情報信号を生成する生成手段及び前記情報信号を送信する手段を有する装置は、該装置が、前記識別情報を生成する手段を有し、前記生成手段が、前記重畳情報のパケットに識別情報を付加するように構成されることを特徴とする。
【発明を実施するための最良の形態】
【００１７】
本発明のこれらの及び他の特徴は、以下に記載の実施例を参照してより明白に説明されるであろう。これらの図において、先の図面に記載された構成要素に対応する構成要素には、同一の参照番号が付されている。
【００１８】
図１は、画像情報が示されている画像スクリーン１を示している。この画像情報は、図１ａになされているように、前記画像スクリーンの全画面にわたって示される主情報２を有している。この主情報２は、フィルム画像またはテレビジョンプログラム等の動画像からなっても良い。この主情報はまた、アニメーションや、さらには写真画像を有しても良い。図１ｂは、グラフィック情報３が重畳情報として重畳された前記と同一の主情報２を示している。例えば、背景において、主情報２は、同一のままで、一方、常に新しい音符が重畳情報として示されても良い。図１ｃは、映画に対して使用可能であるような重畳情報としてサブタイトルテキスト４を示している。ＴＶシステムに対して、重畳情報は、送信の前に主情報と組合わされ、主情報の各映像内において副送信(co-transmit)される。例えば前述の国際特許公開第92/00647号においてなされるように重畳情報を別個に送信することにより、１つより多い重畳情報片を副送信することが可能である。この場合、ユーザは、例えば、複数の言語から選択することができまた、完全にサブタイトル４を省くことができる。重畳情報を送信する方法の他の例は、テレテキストを持つ既知のＴＶシステムである。このシステムにおいては、付加的な情報のページが、ページ番号がページの最初に含まれて、ビデオ信号の不可視部分に連続的に送信される。テレテキストは、例えば、難聴用のサブタイトルを副送信するために使用される。
【００１９】
図２は、画像情報を送信するシステムを示している。画像情報は、例えば、テレビジョン信号、ネットワークを介するディジタル変調された信号若しくはＶＣＲ（ビデオカセットレコーダ）等の磁気テープ上にまたはレーザディスク、ディジタルビデオディスク等の光学ディスク上に記録された信号等の情報信号により送信される。情報信号送信装置２１は、画像情報を、画像情報受信装置２３に送信チャネル２２により送信する。受信装置２３は、ユーザに対して画像信号を再生する。情報信号は、例えば、ＰＡＬまたはＮＴＳＣ標準に応じたアナログビデオ信号若しくはＭＰＥＧ−１またはＭＰＥＧ−２に応じたディジタル符号化及び圧縮されたビデオ信号等の主情報の表現(representation)を少なくとも有している。さらに、情報信号は、主情報から別個に復元することができる情報符号により符号化された重畳情報の表現を有している。画像スクリーン上に全体として示されるべき重畳情報ページを、新規の画像毎に副送信することが可能である。しかしながら、これは、多大の送信容量を占める。他のオプションは、連続する一連の符号の送信である。しかしながら、この結果として、当該信号の他の部分に対する送信容量が長時間妨害される。ゆえに、または、送信チャネルに起因して、各ページの重畳情報はしばしば、例えば、前述の国際特許出願公開第92/00647号のディジタルオーディオ信号サブコード内のパケットのような、情報符号のパケットの群で送信される。この場合、最初のパケットはヘッダを有し、最後のパケットはエンドコードを有する。ビデオ信号において、符号は、水平または垂直帰線時にディジタル信号の形態で副送信されても良い。完全なディジタル情報ストリームにおいては、ユーザデータの個別のデータストリームを、例えば、例えば２０４８バイトのパケットにディジタルストリームを細分し、これらパケットに情報のタイプを示すヘッダを付加することにより多重して副送信しても良い。ＭＰＥＧ−２の場合、ビデオ情報は、国際標準ITU/ISO 13818-2に記載されるように符号化される。ITU/ISO 13818-1標準においては、符号化されたビデオデータのエレメンタリストリームが、例えばＭＰＥＧ−２プログラムストリームへオーディオ及びサブタイトルを表す他の符号化データとどのように多重されるかが記載されている。ＭＰＥＧにより規定されないタイプの情報は、無作為に選択可能なフォーマットで'プライベートパケット'内に含まれても良い。予め規定されたフォーマットを有する付加的なヘッダを持つＭＰＥＧ−２パケットは、"プライベートストリーム１"で参照され、付加的なヘッダを持たないパケットは、"プライベートストリーム２"として参照される。サブタイトルは、例えば、プライベートストリーム１のパケット内に含まれても良い。
【００２０】
本発明による情報信号においては、１つの群の各パケットが、当該パケットの関連する群に対する関係を指示する識別情報を含んでいる。識別情報は、例えば、パケットが同一の群に属するかどうか、また、連続して受信されるパケットが連続して送信されたかどうかを指示しても良い。情報信号は、上述のように、重畳情報に向けられた上述の符号を、例えば、ＭＰＥＧ−２ストリームのプライベートパケット内に含む。ここで、識別情報は、パケットの始まりに含まれ、１つのパケットは、１つの重畳ページのみの情報しか含まない。
【００２１】
図３は、ＭＰＥＧ−２ストリーム内の各重畳情報パケットに付加される本発明による識別情報の例を表に示している。重畳情報に対するプライベートパケットの内容は、private_data_fieldにより指示され、これは、各サブタイトルパケットに対する内容を確立する。使用可能なビット数が、各パラメータに対して与えられている。page_complete_flag２５は、ページの終端、すなわち、群の最後のパケットを指示する。packet_sequence_count２６は、群内のパケットのシリアル番号を指示し、最初のパケットは、packet_sequence_count＝０を持ち、次のパケットはカウントが１増加する。これは、簡単に、パケットの欠落を発見することを容易にする。page_number２７は、各パケットに対して、このパケットが属する重畳ページの一様なページ番号を指示する。このpage_numberは、例えば、ある重畳ページのpacket_sequence_count＝５の後、信号の妨害が生じ、次のページのpacket_sequence_count＝６が最初に受信された場合に、これら２つのページ部分が誤って組合うことを回避することに役立たせても良い。次いで、重畳ページの実際の内容、subtitle_payload２８がくる。これは、当該パケットの残りを占める。
【００２２】
本発明の他の実施例においては、ページ番号及び／またはシリアル番号としてパラメータを周期的にカウントすることも使用可能である。これは、少ない送信容量しか識別情報の総量に対して必要としない利点がある。例えば、ページ番号として３ビットを使用し、パケットシリアル番号として５ビットを使用することができるであろう。任意の長さの妨害の後、欠落部分を持つ重畳ページが表示される、すなわち、丁度１ページにおいて３２個の多数のパケットが損なわれるような可能性は約３％しかない。２ページのデータが組合わされる、すなわち、丁度８個の多数のページが損なわれ、加えて、シリアル番号が丁度適合する可能性は僅か１％未満である。他の例においては、各パケットにおけるシリアル番号の代わりに、現ページのパケットの総数を副送信することができ、一方、２以上のパケットを包含する群の最初のパケット内に、所望であれば、０を配置することができる。この結果、０または１を担持するパケットが受信される場合、これは、常に、一群の最初のパケット（１の場合においてはまた唯一の(sole)パケット）である。残りのパケットは、２以上のpage_lengthを持ち、一方、この場合、２はまた、最終パケットを示している。さらに、パケットの数を、単にカウントしても良く、一方、加えて、依然受信されるべきパケットがいくつあるか常に分かるであろう。後者はまた、パケットの総数で始まるpage_sequence_countを持ち、１ずつカウントを一定して減少することにより、ゆえに、最終パケットが、page_sequence_count＝１を有するように実現しても良い。重畳ページの始まりは、使用可能なページヘッダから既に明らかではない場合、所望ならば、page_start_flagにより指示されても良い。長さ指示、ページ番号付け、開始／終了フラグ及びシリアル番号付けの多くの他の組合せが、識別情報として可能である。しかしながら、ページ開始フラグ及びページ終了フラグしか使用しない場合は、満足行くように識別しない。
【００２３】
図４は、ＣＤまたはレーザディスク等のディスク状の光学的に読出し可能な情報担体３０を示している。螺旋状または同心状トラック３１内に、画像スクリーン上への表示を目的とする画像情報を表す情報信号が記録されている。ＣＤの読出しに関する記載は、ISBN O-85274-785-3のBouwhuis他による"Principles of optical disc systems"に見ることができる。画像情報及び情報信号は、図１及び図２を参照して述べられている。この場合、重畳情報は、図３を参照して述べたように、パケットの関連する群に対する関係を指示する識別情報を有する。
【００２４】
図５は、衛星受信機またはセット−トップ−ボックス(set-top-box)がまた参照されるテレビジョン信号デコーダ等の画像情報を受信する装置を示している。送信された信号は、（当該装置の構成部ではない）アンテナ４１を介してまたはケーブルリンクを介して受信手段４２に進入する。受信手段４２において、情報信号は復元され、組合せ手段４３に供給される。組合せ手段４３において、画像信号が、重畳情報と組合わされた主情報に基づいて生成される。同様に、情報信号は、例えば、図３を参照して記載されるように、識別情報に依存してpage_incomplete信号（ページ不完全信号）を生成するチェック手段４４に供給される。この場合、重畳ページの始まりを、チェック手段４４によりpage_sequence_count＝０から、page_complete_flag＝活性を持つ過去の最終パケットから、または、組合せ手段４３により群の最初のパケットのヘッダから得ても良い。チェック手段４４は、各連続して受信されるパケットの重畳ページの始まりから、識別情報がその前のパケットに基づいて期待される識別情報に対応しているかどうかをチェックする。ここで、packet_sequence_countが毎時１増加しているかどうか及び、page_numberが同一であるかどうかのチェックがなされる。page_complete_flagが活性であるパケットが受信された場合、page_incomplete信号が、このチェック時に差異が確立される場合に生成される。組合せ手段４３は、page_incomplete信号を受信し、該page_incomplete信号に応じてページ重畳情報の表示を阻止するように構成される。次いで、画像信号は、出力４６を介してユーザに提供されても良い。他の実施例においては、当該装置は、この場合画像が直接示される画像スクリーン４５を含む。
【００２５】
図６は、例えばＣＤ等の情報担体３０を読出す装置を示している。この装置は、光学ビーム５０によりトラック３１を走査する走査手段５１を有している。
当該装置はさらに、図５の装置に対応している。受信された信号は、受信手段４２に供給され、次いで、組合せ手段４３及びpage_incomplete信号を生成するチェック手段４４に供給される。情報信号処理は、図５を参照して述べられている。
【００２６】
図７は、例えばテレビジョン送信機等の画像情報を送信する装置を示している。画像情報は、画像生成手段６２に供給される。すなわち、主情報が入力６０を介して供給され、重畳情報が別個の入力６１を介して供給される。画像生成手段６２は、画像情報を符号化し、情報信号を生成し、一方、重畳情報は、ページ毎に一群のパケットに符号化される。重畳ページのパケットの始まり、終わり及び数についての情報は、識別情報生成手段６３に供給される。次いで、識別情報生成手段６３は、各パケットに対して、ページ番号またはシリアル番号等の識別情報を生成する。ページの始まりにおいて、例えば、page_numberは１増加され、packet_sequence_countはゼロに設定される。後続するパケットに対しては、page_numberは同じままであり、packet_sequence_countは増加される。すなわち、最終パケットに対して、page_complete_flagが活性化される。マルチプレクサ６４において、生成された識別情報は、重畳情報に付加され、この後、完全な情報信号が、送信手段６５において増幅され、アンテナ６６を介して送信される。
【００２７】
図８は、例えば、ＣＤ−ＲＯＭ等の情報担体により画像情報を送信する装置を示している。最初に、マザー情報担体が、図示の装置により作成される。次いで、多数の情報担体が、（図示せず）モールド及びプレスを用いて通常のプロセスによりマザー情報担体から製造される。完全な情報信号が、図７を参照で述べたように生成手段（６２、６３、６４）により生成される。チャネル符号化ユニット７０が、ディスク状担体に対して通常のように情報信号を符号化し、この信号を放射ユニット７１に供給する。放射ユニット７１は、例えば、高密度レーザビーム等の放射ビーム７２により、マザー情報担体７３上に前記符号化された情報信号を書込む。（図示しない）通常のタイプのシステムコントローラが、ディスクの回転速度を制御し、所望のピット及びトラック密度を得るためにトラック３１にわたって放射ユニット７１の位置決めを行う。ＣＤシステムのさらなる記載に関しては、図４を参照して述べた文献を参照されたい。他の実施例において、同様の装置は、ＣＤレコーダブル等の直接再生可能な情報担体上に情報信号を記録することに適している。他の実施例は、例えば、ＶＣＲテープまたは光学テープを書込む及び読出す装置である。
【００２８】
前述の装置に関する実施例は、図５、図６、図７及び図８に図示される実施例に限定されず、重畳ページを表す一群の各パケットが該パケットの関連する群に対する関係を指示する識別情報を有する画像情報を受信及び／または送信するいかなる装置をも包含する。
【００２９】
最後に、本発明のいくつかの実施態様を項別記載する。
１．画像情報を表す情報信号により画像スクリーン上への表示を目的とした該画像情報を送信する方法であって、該画像情報は、主情報と該主情報に関連付けられた重畳情報とを有し、該重畳情報は、ページに細分され、これらページは、情報符号のパケットの群により表される画像情報送信方法において、群の各パケットは、該パケットの、関連する群に対する関係を指示する識別情報を持つことを特徴とする方法。
２．前記識別情報は、ページ番号を含むことを特徴とする実施態様項１に記載の方法。
３．前記識別情報は、所定の方法で１つの群内で適合化されたシリアル番号を含み、前記群の最初のまたは最後のパケットのシリアル番号は、所定の値を持つことを特徴とする実施態様項１または２に記載の方法。
４．前記識別情報は、群の最初のまたは最後のパケットに対して異なる値を持つフラグを含むことを特徴とする実施態様項２または３に記載の方法。
５．前記主情報は、ビデオ情報を含み、前記重畳情報は、グラフィック情報を含むことを特徴とする実施態様項１、２、３または４に記載の方法。
６．前記重畳情報は、サブタイトルテキストを含むことを特徴とする実施態様項１乃至５の何れか一項に記載の方法。
７．前記主情報は、ディジタル圧縮されたビデオ情報を含むことを特徴とする実施態様項１乃至６の何れか一項に記載の方法。
８．情報信号が記録された情報担体であって、該情報信号は、画像スクリーン上への表示を目的とした画像情報を表し、該画像情報は、主情報と該主情報に関連付けられた重畳情報とを有し、該重畳情報は、ページに細分され、これらページの各々は、情報符号のパケットの群により表される情報担体において、群の各パケットは、該パケットの、関連する群に対する関係を指示する識別情報を含むことを特徴とする情報担体。
９．前記識別情報は、ページ番号を含むことを特徴とする実施態様項８に記載の情報担体。
１０．前記識別情報は、所定の方法で１つの群内で適合化されたシリアル番号を含み、前記群の最初のまたは最後のパケットのシリアル番号は、所定の値を持つことを特徴とする実施態様項８または９に記載の情報担体。
１１．前記識別情報は群の最初のまたは最後のパケットに対して異なる値を持つフラグを含むことを特徴とする実施態様項９または１０に記載の情報担体。
１２．前記主情報は、ビデオ情報を含み、前記重畳情報は、グラフィック情報を含むことを特徴とする実施態様項８、９、１０または１１に記載の情報担体。
１３．前記重畳情報は、サブタイトルテキストを含むことを特徴とする実施態様項８乃至１２の何れか一項に記載の情報担体。
１４．前記主情報は、ディジタル圧縮されたビデオ情報を含むことを特徴とする実施態様項８乃至１３の何れか一項に記載の情報担体。
１５．実施態様項１乃至７の何れか一項に記載の方法において使用される装置であって、前記情報信号を受信する手段及び前記重畳情報と組合わされた前記主情報を表す画像信号を生成する組合せ手段を有する装置において、前記装置は、前記識別情報に応じてページ不完全信号を生成するチェック手段を有し、前記組合せ手段は、前記ページ不完全信号に応答して重畳情報のページの表示を阻止するように構成されることを特徴とする装置。
１６．前記チェック手段は、異なるページ番号を担持するパケットが１つの群内で受信された場合、前記ページ不完全信号を生成するように構成されることを特徴とする実施態様項１５に記載の装置。
１７．前記受信手段は、実施態様項８乃至１４の何れか一項に規定される情報担体から前記情報信号を読出す手段を有することを特徴とする実施態様項１５または１６に記載の装置。
１８．前記装置は画像スクリーンを含むことを特徴とする実施態様項１５、１６または１７に記載の装置。
１９．実施態様項１乃至６の何れか一項に記載の方法において使用される装置であって、前記情報信号を生成する生成手段及び前記情報信号を送信する手段を有する装置において、 前記装置は、前記識別情報を生成する手段を有し、 前記生成手段は、前記重畳情報のパケットに前記識別情報を付加するように構成されることを特徴とする装置。
２０．前記装置は、実施態様項８乃至１４の何れか一項に記載の情報担体を生成するために前記情報信号を記録する手段を有することを特徴とする実施態様項１９に記載の装置。
【図面の簡単な説明】
【００３０】
【図１ａ】画像情報を持つ画像スクリーンを示した図
【図１ｂ】画像情報を持つ画像スクリーンを示した図
【図１ｃ】画像情報を持つ画像スクリーンを示した図
【図２】画像情報を送信するシステムを示した図
【図３】識別情報の表を示した図
【図４】情報担体を示した図
【図５】画像情報を受信する装置を示した図
【図６】情報担体を読出する装置を示した図
【図７】画像情報を送信する装置を示した図
【図８】情報担体により画像情報を送信する装置を示した図
【図１ａ】
2006217568.tif 000003
【図１ｂ】
2006217568.tif 000004
【図１ｃ】
2006217568.tif 000005
【図２】
2006217568.tif 000006
【図３】
2006217568.tif 000007
【図４】
2006217568.tif 000008
【図５】
2006217568.tif 000009
【図６】
2006217568.tif 000010
【図７】
2006217568.tif 000011
【図８】
2006217568.tif 000012